(57)【要約】【課題】  単に墓前に置かれ、形式化、慣習化された仏具の域を超えない従来の墓用音響装置の役割目的を更に深化させ、墓参者に明日へ生きるための新たな前向きの心を生じさせる墓用音響装置を提供する。【解決手段】第一音響部「ぴ〜ん」、第二音響部「ぽ〜ん」、第三音響部「ち〜ん」を墓地下の納骨室内に、音響部操作用の各引き手９ａ，９ｂ，９ｃ部を地上部に位置するように基板３を納骨室の天井壁に固設し、地上から墓地下の納骨室の各音響部を操作する構成としたことを特徴とする。【選択図】図１
2014218878.tif 000002
【特許請求の範囲】
【請求項１】
中空軸の上端を曲折し、該曲折部先端に口金具を装着し、更に前記中空軸の中間に基板を貫設し、該基板下部の前記中空軸外面に、第一音響体と撥とばねからなる第一音響部、第二音響体と撥とばねからなる第二音響部、第三音響体と撥とばねからなる第三音響部を配設し、前記第一音響部、前記第二音響部、前記第三音響部の各撥にはガイドチューブに通された索の一端が接続され、前記各音響部の撥に接続された索の他端は、前記中空軸内を前記口金具まで配索され、前記第一音響部の索の他端には第一引き手が装着され、前記第二音響部の索の他端には第二引き手が装着され、前記第三音響部の索の他端には第三引き手が装着され、前記各音響部が地下の納骨室の内部に、前記各引き手部は前記納骨室の外部地上に配設される構成で、前記中空軸を前記納骨室の外部から該納骨室内部に貫通させ、前記基板を前記納骨室の天井壁に固設させてなることを特徴とする墓用音響装置。
【請求項２】
前記墓用音響装置の地上に位置する部位の一部を覆うための覆いが設けられてなることを特徴とする請求項１に記載の墓用音響装置。
【発明の詳細な説明】
【技術分野】
【０００１】  本発明は、墓に設置する墓用音響装置に関する。
【背景技術】
【０００２】  従来の墓には鈴などの音響体からなる墓用音響装置が設置されたものがある（例えば、特許文献１参照。）
【先行技術文献】
【特許文献】
【０００３】
【特許文献１】  特許公開２００１−２４１２１５
【発明の概要】
【発明が解決しようとする課題】
【０００４】  以上に述べた従来の墓用音響装置は、墓石と共に墓の地上部分に設置されており、墓石との位置構成に於いても、その役割目的に於いても、仏壇における位牌と鈴との関係と同様であり、単に故人の冥福、成仏を願うためのツールとして、形式化、慣習化された仏具の域を超えるものではなかった。
本発明は、このような形式化、慣習化された従来の墓用音響装置の役割目的を更に深化させ、墓参者に、故人との距離感をなくし、故人との心の対話を通し、故人との絆をより強力にし、明日へ生きるための新たな前向きの心を生じさせることを目的とするものである。
【課題を解決するための手段】
【０００５】  前記課題を解決するため、請求項１の発明は、中空軸の上端を曲折し、該曲折部先端に口金具を装着し、更に前記中空軸の中間に基板を貫設し、該基板下部の前記中空軸外面に、第一音響体と撥とばねからなる第一音響部、第二音響体と撥とばねからなる第二音響部、第三音響体と撥とばねからなる第三音響部を配設し、前記第一音響部、前記第二音響部、前記第三音響部の各撥にはガイドチューブに通された索の一端が接続され、前記各音響部の撥に接続された索の他端は、前記中空軸内を前記口金具まで配索され、前記第一音響部の索の他端には第一引き手が装着され、前記第二音響部の索の他端には第二引き手が装着され、前記第三音響部の索の他端には第三引き手が装着され、前記各音響部が地下の納骨室の内部に、前記各引き手部は前記納骨室の外部地上に配設される構成で、前記中空軸を前記納骨室の外部から該納骨室内部に貫通させ、前記基板を前記納骨室の天井壁に固設させた構成にしたものである。
又、本発明の墓用音響装置の作動方式は前記請求項１に記載の前記索による引き作動機構方式から、前記ばねの位置変更と、押棒との構成で、押し作動機構方式にしてもよい。【０００６】  請求項２の発明は前記墓用音響装置の墓室の地上に位置する部位の一部を覆うための覆いを設けた構成としたものである。
【発明の効果】
【０００７】  上述した構成により本発明の墓用音響装置から発する音響は、故人が安置されている地下の納骨室から伝わって来るものであり、その響は墓参者と故人との距離を瞬時に無くし、故人との心の対話を通し、故人との絆をより強力にし、明日へ生きるための新たな前向きの心を墓参者に生じさせることが出来る。【０００８】  また、本発明の墓用音響装置は、前記第一音響部の音響体で「ぴ〜ん」、前記第二音響部の音響体で「ぽ〜ん」とチャイムの音を発生させることで、墓参者は故人に訪墓を知らせ、更に前記第三音響部の音響体で「ち〜ん」と鈴音を発生させて拝礼し、対話し、より絆を強くすることにより、新たな前向きの心を得ることが出来る。【０００９】  更にまた、本発明の墓用音響器は、［０００５］に記載の通り、前記中空軸を前記納骨室の天井壁に貫通させ、前記基板を前記天井壁に固設する構成であるため、既存の墓に対しても拝石などの天井壁に穿孔することにより、開墓することなく容易に設置することが出来る。
【図面の簡単な説明】
【００１０】
【図１】  本発明の一実施例を示す墓用音響装置の一部断面斜視図。
【図２】  同墓用音響装置を墓に固設した一実施例を示す部分断面図。
【図３】  同墓用音響装置の地上部位の一部を覆う覆いの一実施例を示す斜視図。
【発明を実施するための形態】
【００１１】  以下、本発明の実施の形態として一実施例を図１〜図３に基づいて説明する。
【００１２】  図１に於いては、１は中空軸で、２は曲折先端に装着した口金具、３は基板である。
【００１３】  ４ａは第一音響部の撥、５ａは第一音響部のばね、６ａは第一音響部の音響体、７ａは第一音響部の索、８ａは索７ａのガイドチューブ、９ａは索７ａの引き手である。
【００１４】  ４ｂは第二音響部の撥、５ｂは第二音響部のばね、６ｂは第二音響部の音響体、７ｂは第二音響部の索、８ｂは索７ｂのガイドチューブ、９ｂは索７ｂの引き手である。
【００１５】  ４ｃは第三音響部の撥、５ｃは第三音響部のばね、６ｃは第三音響部の音響体、７ｃは第三音響部の索、８ｃは索７ｃのガイドチューブ、９ｃは索７ｃの引き手である。
【００１６】  図２は図１に示す本発明の墓用音響装置を納骨室１２の天井壁である拝石１１に貫通させて固設し、該墓用音響装置の地上に露出した部位の一部を覆う覆い１０を固設した一実施例である。
【００１７】  図３の覆い１０は前記墓用音響装置を風雨から守る目的と共に前記墓用音響装置の外観上の美観を良くする目的も有している。
【００１８】  本発明は以上の構成から成り、この使い方の一例を図１にて説明すると、墓参時に先ず引き手９ａを指でつまんで引き、音響体６ａを撥４ａで打ち「ぴ〜ん」と打ち鳴らす。
引き続き、引き手９ｂを引き、音響体６ｂを撥４ｂで打ち「ぽ〜ん」と打ち鳴らし故人に墓参を伝える。
【００１９】  その後は、墓参者の思い思いにより、引き手９ｃを引き、音響体６ｃを撥４ｃで打ち「ち〜ん」と打ち鳴らし、故人との対話をする。
【符号の説明】
【００２０】  １    中空軸
２    口金具
３    基板
４ａ  第一音響部の撥
５ａ  第一音響部のばね
６ａ  第一音響部の音響体
７ａ  第一音響部の索
８ａ  索７ａのガイドチューブ
９ａ  索７ａの引き手
４ｂ  第二音響部の撥
５ｂ  第二音響部のばね
６ｂ  第二音響部の音響体
７ｂ  第二音響部の索
８ｂ  索７ｂのガイドチューブ
９ｂ  索７ｂの引き手
４ｃ  第三音響部の撥
５ｃ  第三音響部のばね
６ｃ  第三音響部の音響体
７ｃ  第三音響部の索
８ｃ  索７ｃのガイドチューブ
９ｃ  索７ｃの引き手
１０    覆い
１１    拝石
１２    納骨室
１３    墓石
【図１】
2014218878.tif 000003
【図２】
2014218878.tif 000004
【図３】
2014218878.tif 000005